【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
処理システムであって、
前記装置によって知られている１つまたは複数のサービスを示す複数のビットマップを生成することと、ここで、各ビットマップが、１つまたは複数の巡回冗長検査（ＣＲＣ）ベースハッシュ関数の異なるセットを各サービスの１つまたは複数のサービス識別情報（ＩＤ）に適用することによって生成される、
１つまたは複数のフレームを生成することと、ここで、各フレームが、前記複数のビットマップのうちの１つと、前記フレーム中に含まれる前記ビットマップを生成するために使用される１つまたは複数のＣＲＣベースハッシュ関数の前記セットの指示とを含む、
を行うように構成された処理システムと、
送信のために前記１つまたは複数のフレームを出力するように構成されたインターフェースと
を備える、装置。
【請求項２】
前記複数のビットマップに関連付けられたビットの数、前記複数のビットマップの数、または各セット中のＣＲＣベースハッシュ関数の数のうちの少なくとも１つは、前記１つまたは複数のサービスのうちの特定の１つが前記装置によって知られているというフォールスポジティブ指示を与える所望の確率に基づいて選択される、請求項１に記載の装置。
【請求項３】
前記１つまたは複数のフレームが、ビーコンフレーム、プローブ応答フレーム、ブロードキャストフレーム、またはジェネリックアドバタイズメントサービス（ＧＡＳ）フレームのうちの少なくとも１つを備える、請求項１に記載の装置。
【請求項４】
前記１つまたは複数のフレームが、プレアソシエーションディスカバリ（ＰＡＤ）プロトコルの一部として送信のために出力される、請求項１に記載の装置。
【請求項５】
前記１つまたは複数のフレームの前記生成が、前記１つまたは複数のフレーム中に含めるべき前記複数のビットマップのうちの異なるビットマップを巡回することによってフレームを生成することを備える、請求項１に記載の装置。
【請求項６】
前記処理システムが、
前記複数のビットマップのうちの少なくともいくつかにおけるビットのロケーションの分布を分析することと、
前記分析に基づいて前記１つまたは複数のフレームのうちの少なくともいくつかの中に含めるべき前記ビットマップを選択することと
を行うように構成された、請求項１に記載の装置。
【請求項７】
１つまたは複数のＣＲＣベースハッシュ関数の各セットが少なくとも４つのＣＲＣベースハッシュ関数を備える、請求項１に記載の装置。
【請求項８】
ワイヤレス通信のための装置であって、
他の装置からフレームを取得するように構成されたインターフェースと、ここで、前記フレームが、前記他の装置によって知られている１つまたは複数のサービスを示すビットマップと、前記フレーム中に含まれる前記ビットマップを生成するために使用される１つまたは複数の巡回冗長検査（ＣＲＣ）ベースハッシュ関数のセットの指示とを含む、
処理システムであって、
１つまたは複数のＣＲＣベースハッシュ関数の前記示されたセットを前記装置によって望まれるサービスの１つまたは複数のサービス識別情報（ＩＤ）に適用することによって、ビットマップロケーションを決定することと、
前記決定されたビットマップロケーションと前記フレーム中に含まれる前記ビットマップのビットマップロケーションとを比較することと、
前記装置によって望まれるサービスが前記他の装置によって知られている蓋然性を前記比較が示す場合、前記他の装置にアソシエートすること、または、前記１つまたは複数のサービスが前記他の装置によって知られていないことを前記比較が示す場合、前記他の装置にアソシエートすることを控えることと
を行うように構成された処理システムと
を備える、装置。
【請求項９】
前記フレームが、プレアソシエーションディスカバリ（ＰＡＤ）プロトコルの一部として取得される、請求項８に記載の装置。
【請求項１０】
１つまたは複数のＣＲＣベースハッシュ関数の各セットが少なくとも４つのＣＲＣベースハッシュ関数を備える、請求項８に記載の装置。
【請求項１１】
装置によるワイヤレス通信のための方法であって、
前記装置によって知られている１つまたは複数のサービスを示す複数のビットマップを生成することと、ここで、各ビットマップが、１つまたは複数の巡回冗長検査（ＣＲＣ）ベースハッシュ関数の異なるセットを各サービスの１つまたは複数のサービス識別情報（ＩＤ）に適用することによって生成される、
１つまたは複数のフレームを生成することと、ここで、各フレームが、前記複数のビットマップのうちの１つと、前記フレーム中に含まれる前記ビットマップを生成するために使用される１つまたは複数のＣＲＣベースハッシュ関数の前記セットの指示とを含む、
送信のために前記１つまたは複数のフレームを出力することと
を備える、方法。
【請求項１２】
前記複数のビットマップに関連付けられたビットの数、前記複数のビットマップの数、または各セット中のＣＲＣベースハッシュ関数の数のうちの少なくとも１つは、前記１つまたは複数のサービスのうちの特定の１つが前記装置によって知られているというフォールスポジティブ指示を与える所望の確率に基づいて選択される、請求項１１に記載の方法。
【請求項１３】
前記１つまたは複数のフレームが、ビーコンフレーム、プローブ応答フレーム、ブロードキャストフレーム、またはジェネリックアドバタイズメントサービス（ＧＡＳ）フレームのうちの少なくとも１つを備える、請求項１１に記載の方法。
【請求項１４】
前記１つまたは複数のフレームが、プレアソシエーションディスカバリ（ＰＡＤ）プロトコルの一部として送信のために出力される、請求項１１に記載の方法。
【請求項１５】
前記１つまたは複数のフレームの前記生成が、前記１つまたは複数のフレーム中に含めるべき前記複数のビットマップのうちの異なるビットマップを巡回することによってフレームを生成することを備える、請求項１１に記載の方法。
【請求項１６】
前記複数のビットマップのうちの少なくともいくつかにおけるビットのロケーションの分布を分析することと、
前記分析に基づいて前記１つまたは複数のフレームのうちの少なくともいくつかの中に含めるべき前記ビットマップを選択することと
をさらに備える、請求項１１に記載の方法。
【請求項１７】
１つまたは複数のＣＲＣベースハッシュ関数の各セットが少なくとも４つのＣＲＣベースハッシュ関数を備える、請求項１１に記載の方法。
【請求項１８】
装置によるワイヤレス通信のための方法であって、
他の装置からフレームを取得することと、ここで、前記フレームが、前記他の装置によって知られている１つまたは複数のサービスを示すビットマップと、前記フレーム中に含まれる前記ビットマップを生成するために使用される１つまたは複数の巡回冗長検査（ＣＲＣ）ベースハッシュ関数のセットの指示とを含む、
１つまたは複数のＣＲＣベースハッシュ関数の前記示されたセットを前記装置によって望まれるサービスの１つまたは複数のサービス識別情報（ＩＤ）に適用することによって、ビットマップロケーションを決定することと、
前記決定されたビットマップロケーションと前記フレーム中に含まれる前記ビットマップのビットマップロケーションとを比較することと、
前記装置によって望まれるサービスが前記他の装置によって知られている蓋然性を前記比較が示す場合、前記他の装置にアソシエートすること、または、前記１つまたは複数のサービスが前記他の装置によって知られていないことを前記比較が示す場合、前記他の装置にアソシエートすることを控えることと
を備える、方法。
【請求項１９】
前記１つまたは複数のフレームを送信するための送信機をさらに備え、ここにおいて、前記装置は、アクセスポイントとして構成される、請求項１に記載の装置。
【請求項２０】
前記他の装置から前記フレームを受信するための受信機をさらに備え、ここにおいて、前記装置は、アクセス端末として構成される、請求項８に記載の装置。